(57)【要約】【課題】  大空間の使用に適しており、軽量かつ変形が少なく、コストを低減することが可能な屋根構造を提供する。【解決手段】  一組の面材１０（例えば、単板積層材）の長さ方向の一端部を互いに接合して形成した屋根構造１００であって、面材１０の接合部１１において幅方向に屈曲している。また、面材１０の少なくとも一側面に幅方向の補強材２０を複数配設する。一組の面材１０の長さ方向の一端部を互いに接合して形成した屋根構造１００を一単位とし、複数単位の屋根構造１００を幅方向に連続させて配設するとともに、幅方向に隣り合う各屋根構造１００の端部同士は、上下に離隔した状態とする。【選択図】図１
2020133137.tif 000002
【特許請求の範囲】
【請求項１】
一組の面材の長さ方向の一端部を互いに接合して形成した屋根構造であって、
前記面材の接合部において幅方向に屈曲させ、
前記面材の少なくとも一側面に幅方向の補強材を複数配設した、
ことを特徴とする屋根構造。
【請求項２】
一組の面材の長さ方向の一端部を互いに接合して形成した屋根構造を一単位とし、
複数単位の屋根構造を幅方向に連続させて配設するとともに、
幅方向に隣り合う各屋根構造の端部同士は、上下に離隔した状態となっている、
ことを特徴とする請求項１に記載の屋根構造。
【請求項３】
前記面材は、単板積層材であることを特徴とする請求項１または２に記載の屋根構造。
【発明の詳細な説明】
【技術分野】
【０００１】
本発明は、大空間に適した屋根構造に関するものである。
【背景技術】
【０００２】
従来、屋根構造を構築するために種々の技術が開発されている。例えば、特許文献１（特開２０００−２９１２１０号公報）には、長尺状の金属製屋根材に関する技術が開示されているが、大空間の屋根構造に使用する長尺状の屋根材については、未だ解決されていない課題が山積している。
【０００３】
大空間の屋根を木造で構築するには、梁やトラスなどの横架材を配置するとともに、横架材と直交する方向に母屋や垂木を配置して、その上に構造用合板等の面材を配置するのが一般的である。このような屋根構造では、構造用合板、ＬＶＬ（Ｌａｍｉｎａｔｅｄ  Ｖｅｎｅｅｒ  Ｌｕｍｂｅｒ）、ＣＬＴ（Ｃｒｏｓｓ  Ｌａｍｉｎａｔｅｄ  Ｔｉｍｂｅｒ）等の面材が使用されている。
【先行技術文献】
【特許文献】
【０００４】
【特許文献１】特開２０００−２９１２１０号公報
【発明の概要】
【発明が解決しようとする課題】
【０００５】
しかし、構造用合板やＬＶＬなどの面材は一般的に面外剛性が低いため、スパンが長くなると撓み（鉛直変形）が大きくなってしまう。そこで、形状保持のため大断面集成材の梁や仕口に加工されたトラスなどの横架材が必要となり、木造建物のコストアップ要因となっていた。
【０００６】
また、ＣＬＴは面外剛性が高く、材積が大きいという利点があるものの、その分、重量が重くなり、材料コストが上昇するとともに、屋根を支持する部材コストも上昇する可能性があるという懸念があった。
【０００７】
本発明は、上述した事情に鑑み提案されたもので、大空間の使用に適しており、軽量かつ変形が少なく、コストを低減することが可能な屋根構造を提供することを目的とする。
【課題を解決するための手段】
【０００８】
本発明に係る屋根構造は、上述した目的を達成するため、以下の特徴点を有している。すなわち、本発明に係る屋根構造は、一組の面材の長さ方向の一端部を互いに接合して形成する。そして、面材の接合部において幅方向に屈曲させるとともに、面材の少なくとも一側面に幅方向の補強材を複数配設することを特徴とするものである。このような屋根構造において、面材は、単板積層材を使用することが可能である。
【０００９】
また、上述した構成の屋根構造において、一組の面材の長さ方向の一端部を互いに接合して形成した屋根構造を一単位とし、複数単位の屋根構造を幅方向に連続させて配設するとともに、幅方向に隣り合う各屋根構造の端部同士は、上下に離隔した状態とすることが可能である。
【発明の効果】
【００１０】
本発明に係る屋根構造によれば、面材を水平方向に配設するのではなく、一組の面材を接合して、接合部に角度を持たせることにより、水平材とした時には使用していなかった面材の面内剛性と強度を鉛直方向にも寄与させ、鉛直変形を低減させることができる。
【００１１】
また、例えば、一組の面材をＶ形（断面Ｖ字状）に接合し、谷部分あるいは山部分（接合部）で面材同士を接合することにより、面材の面外変形が低減し、鉛直変形を低減させることができる。
【００１２】
さらに、面材が薄く剛性が低い場合には、Ｖ形の先端が面外変形してしまうが、Ｖ形の面材の上面または下面、あるいは両面に鉄骨梁等の補強材を配設することにより変形を抑えることができる。また、この補強材（鉄骨梁）は、谷部分あるいは山部分（接合部）におけるＶ形面材同士の接合にも寄与している。
【図面の簡単な説明】
【００１３】
【図１】本発明の実施形態に係る屋根構造の斜視図。
【図２】本発明の実施形態に係る（防水材等を施工した）屋根構造の斜視図。
【図３】本発明の実施形態に係る（幅方向に連続した）屋根構造の断面模式図。
【発明を実施するための形態】
【００１４】
以下、図面を参照して、本発明の実施形態に係る屋根構造を説明する。図１〜図３は本発明の実施形態に係る屋根構造を説明するもので、図１は屋根構造の斜視図、図２は防水材等を施工した屋根構造の斜視図、図３は幅方向に連続した屋根構造の断面模式図である。なお、各図において部材の配置や形状等が異なる場合があるが、本発明に係る屋根構造としては実質的に同一の構成を示したものである。
【００１５】
＜屋根構造の概要＞
本発明の実施形態に係る屋根構造１００は、図１〜図３に示すように、一組の面材１０の長さ方向の一端部を互いに接合して形成したものであり、面材１０の接合部１１において幅方向に屈曲させている。すなわち、一組の面材１０を長さ方向に並べて、幅方向の断面形状がＶ形となるように、一組の面材１０の長さ方向の一端部を接合する。また、面材１０の一側面あるいは両側面には、幅方向の補強材２０（例えば、鉄骨梁）を複数配設することが好ましい。
【００１６】
＜屋根構造に使用する面材＞
本実施形態に係る屋根構造１００に使用する面材１０は、強度や寸法精度が安定しており、長尺材が得られるという点で単板積層材が好ましいが、合板、金属製板等、他の面材１０を使用してもよい。
【００１７】
＜幅方向の断面形状＞
幅方向の断面形状は、断面Ｖ字状（一組の面材１０において、各面材１０の幅方向の長さが同一）、断面Ｌ字状（一組の面材１０において、各面材１０の幅方向の長さが異なる）とし、それぞれ下方に向かって凸状（接合部１１が谷部となる形状）あるいは上方に向かって凸状（接合部１１が山部となる形状）とすることが可能である。
【００１８】
どのような断面形状とするかは、屋根構造１００を適用する建築物の使用目的、設置場所等に応じて適宜選択することができる。また、これらの形状の屋根構造１００を組み合わせて用いてもよい。
【００１９】
＜補強材＞
本実施形態の屋根構造１００では、図１に示すように、面材１０の少なくとも一側面に幅方向の補強材２０を複数配設してある。すなわち、屋根構造１００を構成する面材１０の上面または下面、あるいは上下両面に複数の補強材２０を配設する。補強材２０は、上述したように、面材１０の先端が面外変形することを防止するとともに、接合部１１における面材１０同士の接合に寄与するための部材であり、例えば、鉄骨梁からなる。本実施形態では、断面Ｖ字状となった面材１０の上面に、屋根構造１００の幅方向に延びる補強材２０を複数配設してある。
【００２０】
本実施形態の屋根構造１００では、図１に示すように、面材１０の上面に設けた複数の補強材２０の端部付近に、屋根構造１００の長さ方向に沿って、Ｈ形鋼からなる補強補助材３０を掛け渡してある。この補強補助材３０により、屋根構造１００の剛性をさらに高めることができる。また、面材１０の長さ方向に沿って、木製の補助材４０を複数掛け渡してもよい。
【００２１】
＜支持部材＞
本実施形態の屋根構造１００は、図１及び図２に示すように、長さ方向に接合した一組の面材１０を下側から支えるための支持部材５０を備えている。この支持部材５０は、例えば、柱構造からなるが、屋根構造１００を下側から支えることができれば、壁構造としてもよいし、これらの構造を組み合わせてもよい。
【００２２】
本実施形態の支持部材５０は、図１及び図２に示すように、設置面から立ち上げた一対の支柱５１と、支柱５１の間に掛け渡すとともに、面材１０の下面形状に合致した支持部を有するように交差させた支承部材５２とを一単位として、一単位の支持部材５０を屋根構造１００の長さ方向に所定間隔で設置することにより、屋根構造１００を下側から支持する。なお、支持部材５０の構造は、屋根構造１００の構造に合わせて適宜設定することができる。
【００２３】
＜被覆材＞
本実施形態の屋根構造１００は、図２に示すように、面材１０の上面に、補強材２０、野地板６０、防水材７０、仕上材８０を配設してある。なお、面材１０の下面に、補強材２０、野地板６０、防水材７０、仕上材８０を配設してもよいし、面材１０の両面に、これらの部材を配設してもよい。いずれの面にこれらの部材を配設するかは、建築物の使用目的、設置場所等に応じて適宜選択することができる。また、面材１０の上面または下面に他の部材を配設してもよい。
【００２４】
＜複数組の屋根構造＞
本実施形態の屋根構造１００は、例えば、一単位で１５ｍ程度の長さとすることができる。さらに、図３に示すように、一単位の屋根構造１００を幅方向に複数単位並べて設置することにより、広い面積の屋根構造１００を構築することができる。この際、複数単位の屋根構造１００を幅方向に連続させて配設するとともに、幅方向に隣り合う各屋根構造１００の端部同士は、上下に離隔させることが好ましい。また、隣り合う屋根構造１００の長さ方向の端部付近は幅方向に重畳している。
【００２５】
幅方向に隣り合う屋根構造１００の端部同士を上下に離隔させるとは、幅方向に隣り合う屋根構造１００の高さを異ならせることであり、これにより、幅方向に隣り合う屋根構造１００の端部の間に空間を設けることができる。この空間は採光部となり、屋根構造１００を幅方向に連続して配設した際に、屋根構造１００の下方部において明るさを確保することができる。
【００２６】
また、幅方向に隣り合う屋根構造１００の端部に生じた空間に、透光性部材９０（例えば、アクリル板やガラス板）を嵌め込むことにより、幅方向に屋根構造１００の隙間から雨や風が吹き込むことを防止できるとともに、採光部としての機能を保持することができる。
【００２７】
＜長さ方向の接合＞
上述したように、本実施形態の屋根構造１００は１５ｍ程度の長さを有しているが、このような屋根構造１００を長さ方向に接合することにより（例えば、ゲルバー梁）、さらに長尺な屋根構造１００とすることができる。
【符号の説明】
【００２８】
１０  面材
１１  接合部
２０  補強材
３０  補強補助材
４０  補助材
５０  支持部材
５１  支柱
５２  支承部材
６０  野地板
７０  防水材
８０  仕上材
９０  透光性部材
１００  屋根構造
【図１】
2020133137.tif 000003
【図２】
2020133137.tif 000004
【図３】
2020133137.tif 000005